(57)【要約】【課題】  形状の異なる数種の櫛歯を組み合わせ客が希望するヘアスタイルに応じられるようにし、理容師や美容師が効率よくカット作業を行うことができるようにしたものである。【解決手段】  細目の櫛歯と粗目の櫛歯を設けた第１コームと、細目の櫛歯を設けた第２コームと、粗目の櫛歯を設けた第３コームと、挿入口を有した取っ手と、着脱手段を備え、選択により前記第１コームと第２コームと第３コームのいずれかの挿入部を単独或いは第２コームと第３コームの軸を重合しその挿入部を前記挿入口に着脱自在にして取り付け、アスタイル、作業状況、カット部分に応じて第１コームと第２コームと第３コームを選択しその軸の挿入部を重合して取っ手に取り付けることができる。【選択図】  図４
2012187338.tif 000002
【特許請求の範囲】
【請求項１】
挿入部を延設した一つの軸の上部に細目の櫛歯を設け下部に粗目の櫛歯を設けた第１コームと、挿入部を延設した軸に細目の櫛歯を設けた第２コームと、挿入部を延設した軸に粗目の櫛歯を設けた第３コームと、前記挿入部を挿入する挿入口を有した取っ手と、前記軸と取っ手の着脱手段を備え、選択により前記第１コームと第２コームと第３コームのいずれかを単独或いは第２コームと第３コームの軸を重合しその挿入部を前記挿入口に着脱自在にして取り付けたことを特徴とするカットコーム。
【請求項２】
前記第１コームと第２コームと第３コームのいずれかの軸にレザー刃を取り付けたことを特徴とする請求項１に記載のカットコーム。
【請求項３】
前記レザー刃は調整子により取り付け、該調整子の操作により前記レザー刃の出代を調節することを特徴とする請求項２に記載のカットコーム。
【請求項４】
前記レザー刃は反転手段を介して第１コームの軸に取り付け、前記レザー刃を細目の櫛歯側或いは粗目の櫛歯側に臨ませたことを特徴とする請求項１、２に記載のカットコーム。
【請求項５】
前記第１コームと第２コームと第３コームとは別個であって挿入部を延設した軸にレザー刃を設けたレザーコームを備え、前記第２コーム或いは第３コームの挿入部と前記レザーコームの挿入部を重合し着脱手段により前記挿入口に着脱自在にして取り付けたことを特徴とする請求項１に記載のカットコーム。
【発明の詳細な説明】
【技術分野】
【０００１】
本発明は、好みのヘアスタイルに応じて形状の異なる数種の櫛歯、レザーを組み合わせて装着するようにしたカットコームに関するものである。
【背景技術】
【０００２】
一般的なカットコームは取っ手を有しておらず、その厚さは比較的薄い形状となっている。理容師や美容師は、一方の手にカットコームを持ち、他方の手にハサミを持ち、カットコームにハサミを沿わせて作業する方法で髪の毛をカットする。このようなカットコームとしては、例えば特許文献１に記載されているものが知られている。
【先行技術文献】
【特許文献】
【０００３】
【特許文献１】実用新案登録第３１２４３３５号公報
【発明の概要】
【発明が解決しようとする課題】
【０００４】
一方、毛髪は、その太さや硬さ、ダメージなど毛質による個人差が大きく異なる。そのために、理容師や美容師は、客から好みのヘアスタイルを聞いた後に希望するヘアスタイルのカットや個人差が異なる毛髪をみながら梳くことができるように、櫛目に通す毛髪の量や長さを変えてカットを行う。それには形状（櫛の長さ等）の異なる櫛目を有した櫛歯をあらかじめ準備しておきカットする場所、カットの長さ、毛質によって使い分けを行っている。その具体的なカットコームとしては、例えば、プラスチックにより成形した薄い基台の上下部に櫛目の異なる（長さなど）櫛目形状の櫛歯を一体形成し、目的に応じて上下部の櫛歯を使い分けている。
【０００５】
しかしながら、前述の櫛歯は全体形状が薄いために持ちにくくなり、使い勝手が悪く、カット中に落としてしまうことがあるという問題点があった。また、客の好みのヘアスタイルはかなり多くのスタイルがあり、且つ毛質の個人差が大きいことから多種多様の櫛目形状を有した櫛歯を準備し、理容師や美容師はあらかじめその中で最も使用頻度の高い複数種の櫛歯を準備する必要がある。これらの櫛歯は理容師や美容師の作業服のポケットに入れたり、鏡台の前の棚等におき必要な時に取り出してカットや梳く作業を行うわけであるが、目的に応じて多くの櫛歯を持ち替えることが多くなり間違って必要のない櫛歯を取り出したり簡単に必要とする櫛歯を取り出すことができない欠点があった。そこで、本発明はかかる問題点を解決するためになされたものである。
【課題を解決するための手段】
【０００６】
本発明は、挿入部を延設した一つの軸の上部に細目の櫛歯を設け下部に粗目の櫛歯を設けた第１コームと、挿入部を延設した軸に細目の櫛歯を設けた第２コームと、挿入部を延設した軸に粗目の櫛歯を設けた第３コームと、前記挿入部を挿入する挿入口を有した取っ手と、
前記挿入部と取っ手の着脱手段を備え、選択により前記第１コームと第２コームと第３コームのいずれかの挿入部を単独或いは第２コームと第３コームの軸を重合しその挿入部を前記挿入口に着脱自在にして取り付けたことを特徴とするものである。
【０００７】
本発明は、前記第１コームと第２コームと第３コームのいずれかの軸にレザー刃を取り付けたことを特徴とするものである。
【０００８】
本発明は、前記レザー刃は調整子により取り付け、該調整子の操作により前記レザー刃の出代を調節することを特徴とするものである。
【０００９】
本発明は、前記レザー刃は反転手段を介して第１コームの軸に取り付け、前記レザー刃を細目の櫛歯側或いは粗目の櫛歯側に臨ませたことを特徴とする。
【００１０】
本発明は、前記第１コームと第２コームと第３コームとは別個であって挿入部を延設した軸にレザー刃を設けたレザーコームを備え、前記第２コーム或いは第３コームの挿入部と前記レザーコームの挿入部を重合し着脱手段により前記挿入口に着脱自在にして取り付けたことを特徴とするものである。
【発明の効果】
【００１１】
本発明は、上部に細目の櫛歯と下部に粗目の櫛歯を設けた第１コームと、細目の櫛歯を設けた第２コームと、粗目の櫛歯を設けた第３コームと、挿入口を有した取っ手と、着脱手段を備え、選択により前記第１コームと第２コームと第３コームのいずれかを単独或いは第２コームと第３コームの軸を重合しその挿入部を前記挿入口に着脱自在にして取り付ける構成のため、客の好みのヘアスタイルや個人差が異なる毛髪に応じ、また作業の状況やカット部分に応じて第１コームと第２コームと第３コームを選択しその軸の挿入部を重合して取っ手に取り付けることができる。この結果、それぞれの第１、第２、第３コームを単体で使用する時、第２コームと第３コームを重合して使用する時のいずれの使用状態であってもそれぞれのコームは持ちなれた一つの取っ手により支持され安定した状態でカット作業を行うことができる。
【００１２】
即ち、理容師や美容師によるカットでは比較的に使用頻度の高い細目の櫛歯と粗目の櫛歯は一つのコーム（第１コーム）として一体化して取っ手に取り付け、客の好みのヘアスタイルに応じ、例えば毛髪が短いような場合には細目の櫛歯の第２コームを専用のコームとして使用し、毛髪が長いような場合には粗目の櫛歯の第３コームを専用のコームとして使用でき不要なコームを重合しないことから軽量の状態でカット作業を行うことができる。なお、第２コームと第３コームのそれぞれの櫛目は前記第１コームの細目の櫛歯と粗目の櫛歯とは異なる細目と粗目の櫛目に形成することによりあらゆる状態でも使い分けができる。
【００１３】
本発明は、前記第１コームと第２コームと第３コームのいずれかの軸にレザー刃を取り付けた構成のため、前述のように客の好みのヘアスタイルにカットするに最適なレザー刃と第１コームと第２コームと第３コームのいずれかの組み合わせを選択することができる。
【００１４】
本発明は、前記レザー刃を調整子により取り付け、該調整子の操作により前記レザー刃の出代を調節する構成のため、客のあらゆる好みにも対応できるようにレザー刃の出代を変え大きくカットする場合や小さくカットする場合などに適用できる。
【００１５】
本発明は、前記レザー刃は調整子による反転手段を介して第１コームの軸に取り付け、前記レザー刃を細目の櫛歯側或いは粗目の櫛歯側に臨ませる構成のため、客のあらゆる好みにも対応できるように調整子を緩めてレザー刃を反転させ、目的に応じて該レザー刃を細目の櫛歯側或いは粗目の櫛歯側にあてがうことができる。
【００１６】
本発明は、前記第１コームと第２コームと第３コームとは別個であって挿入部を延設した軸にレザー刃を設けたレザーコームを備え、前記第２コーム或いは第３コームの挿入部と前記レザーコームの挿入部を重合し着脱手段により前記挿入口に着脱自在にして取り付ける構成のため、取っ手に取り付けた軸の一側には櫛歯、他側にはレザー刃があり、レザー刃でカットや顔剃りの作業を行いつつカット残りの部分があった場合には取っ手を持って反転し一側の櫛歯を毛髪にあてがってカットすることができる。
【図面の簡単な説明】
【００１７】
【図１】本発明の実施の形態にかかるカットコームを示す平面図である。
【図２】同じく図１に示した側面図である。
【図３】同じく図１に示した変形例を示す平面図である。
【図４】同じく図１のカットコーム１００の形状を基本にして構成したカットコーム（以下第１コームとする）の平面図である。
【図５】本発明の実施の形態にかかる第１コームにレザー刃を設けたレザーコームを取り付けた平面図である。
【図６】同じく図５に示した第１コームの側面図である。
【図７】同じく図５に示した平面図である。
【図８】同じく第２コームと第３コームのそれぞれの軸を重合して取っ手に取り付けた平面図である。
【図９】同じく図８に示したカットコームの櫛歯を示す説明図である。
【図１０】同じくプラスチック製の軸にレザー刃を固定したレザーコームを示す平面図である。
【図１１】同じく図８に示した第２コームと第３コームの取り付け状態を示す側面図である。
【発明を実施するための形態】
【００１８】
図１は、本発明の実施の形態にかかるカットコームを示す平面図である。図２は、図１に示したカットコームの側面図である。このカットコーム１００は、全体をプラスチック製材料で形成し、櫛歯１，２がその両側に設けられており且つ一側の櫛歯１が粗目で他側の櫛歯２が細目であって、それぞれの櫛歯は一定の長さで規則性をもって連設している。また、櫛歯１，２を支持する短冊形状の軸３には取っ手４が一体に設けられている。前記取っ手４は、櫛歯１，２の部分と略同じ厚さのナイフ形状を呈している。また、当該取っ手は、持ちやすさを考慮し図２に示すように、軸３の幅よりも広い幅とすることが好ましい。なお、このカットコーム１００の上下の櫛歯は、その櫛目を粗目、細目、中目等の様々な組合せにすることが可能である。
【００１９】
このカットコーム１００によれば、取っ手４を持って使用するので毛髪を梳かす際やカットする際に手から落とし難い。また、裏返すことによって粗目のコームと細目のコームとを使い分けることができる。更に、取っ手４の幅を大きくした場合、更に持ちやすさが増すので、より落とし難くなる。
【００２０】
また、図３に示すように、取っ手４の幅を櫛歯１，２の櫛歯の先端間の幅よりも広くしても良い。このように取っ手４の幅を広くすることにより取っ手を持ちやすくできることは勿論のこと、取っ手を持った手が頭部に触れやすくなる。このことは毛髪を梳かす際やカットする際に櫛歯の先端が強く頭皮に触れることを未然に防止できる。
【００２１】
そして、取っ手４には指を差し込む孔５を設けても良い。この孔５を設けた場合は、該孔に指を入れて用いることもできるので、様々な持ち方が可能となり、より手から落とし難くなる。
【００２２】
また、取っ手４と櫛歯１，２とを別体として櫛歯１，２を交換できるようにしても良い。図４は、図１のカットコーム１００の形状を基本にして構成したカットコーム（以下第１コームとする）の平面図である。この第１コーム１５０は、櫛歯１，２の短冊形状の軸３を直線状に延設し扁平な挿入部６を一体形成している。前記取っ手４には、前記挿入部６を挿入するための平面形状で奥行きのある挿入口７が設けられる。該挿入口に差し込んだ挿入部６は、図示しないネジやフック等の仮固定手段により固定される。この挿入部６と挿入口７とにより着脱手段を構成する。このようにすれば、他の異なる櫛目を有する櫛歯に交換したり、櫛歯１，２が折れた場合等でも予備の櫛歯に交換して用いることができる。また、前述のように挿入部６を挿入口７に差し込んだ状態では第１コームの挿入部６が扁平でありそれを受ける挿入口７が平面形状であることから取っ手４と第１コームとが回転することがない。
【００２３】
図５は、本発明の実施の形態にかかる第１コームにレザー刃を設けたレザーコームを取り付けた平面図である。図６は、図５に示した第１コームの側面図である。この第１コーム１５０は、上記実施の形態の第１コーム１００の基本構成をもとに、櫛歯１，２の軸３にレザー刃を設けたレザーコーム８を取り付けた点が異なる。その他の構造及びその作用・効果は、前述の実施の形態の第１コーム１００と同様であるからその説明を省略する。
【００２４】
前記レザーコーム８には、前記取っ手４の長手方向と直行する方向にそれぞれが並行する複数の長穴９、９（実施例では２個）が設けられ、この長穴９、９にネジ１０、１０よりなる調節子（以下ネジという）が通されて軸３に固定される。このネジ１０，１０と長穴は反転手段を構成している。
【００２５】
図５及び図６においては、レザー刃１１は粗目の櫛歯１側に臨んでいる。一方、細目の櫛歯２側でレザー刃１１を用いる場合、図７に示すように、ネジ１０、１０を外してレザーコーム８を軸３から取り外し、レザー刃１１を反対側に向けて再びネジ１０、１０を軸３に固定する。前記レザーコーム８を取り付けた第１コーム１５０によれば、一方の櫛歯で毛髪を梳き、もう一方の櫛歯で毛髪を梳くことができる。また、取っ手４を有するので、毛髪を梳く時に第１コーム１５０を落とすことがない。
【００２６】
なお、図示しないが、レザーコーム８の中央に一つの回転軸を設け当該回転軸を軸３に固定することでレザーコーム８が軸３上を回転し得るようにし、レザーコーム８の一部に設けた穴（回転軸を中心として同じ長さの位置に２つ設ける）に係止する突起を軸に設け、この突起によりレザーコーム８を固定するようにしても良い。このようにすれば、レザーコーム８を回転軸を中心にして反転させ、突起及び穴により所定の櫛歯１，２の根元にレザーコーム８を固定できる。
【００２７】
図８は、本発明の実施の形態に係る第２コームと第３コームのそれぞれの軸を重合して取っ手に取り付けた平面図である。即ち、第２コームと第３コームはともにそれぞれの軸に櫛歯を一体成形したものであって、第２コームの櫛歯の櫛目が細目であれば第３コームの櫛歯の櫛目は粗目とする。このような構成から図９の（イ）、（ロ）、（ハ）に示すコームは第２コーム２００でもあり第３コーム３００でもある。  即ち、細目のコーム（イ）と該コーム（イ）よりも粗目のコーム（ロ）のそれぞれの軸２０１、３０１を重合し、それぞれの挿入部２０２、３０２を挿入口に差し込んで使用する場合には、コーム（イ）が第１コーム２００となり、コーム（ロ）が第２コーム３００となる。また、コーム（ロ）と該コーム（ロ）よりも粗目のコーム（ハ）のそれぞれの軸３０１、４０１を重合し、それぞれの挿入部３０２、４０２、７を挿入口に差し込んで使用する場合には、コーム（ロ）が第２コーム２００となり、コーム（ハ）が第３コーム３００となる。
【００２８】
また、前述では第２コームと第３コームを重合して使用するように説明したが、カット部分やカット作業の手順等で応じて第２コーム或いは第３コームの一方のみを使用することができる。その際は、選択した一つのコームの軸の挿入部を取っ手の挿入口に差し込むことにより取り付ける。
【００２９】
前記第２コーム、第３コームとなりうるコーム（イ）、（ロ）、（ハ）のうちの一つ、或いはそのうちの２つのコームを選択し軸を重合して組み合わせて使用する場合は、それぞれのコームの軸から延設した挿入部に設けた切り欠き２０３、３０３、４０３と取っ手の挿入口に設けたピンとの係止よりなる着脱手段により着脱自在に取り付ける。
【００３０】
図１０は、プラスチック製の軸５０１にレザー刃５０４を固定したレザーコーム５００の単体を示すものである。このレザーコームは、前記第２、第３コームのそれぞれの軸の挿入部に設けた切り欠きと同様に軸には切り欠き５０３を設けており、挿入部５０２を挿入口に着脱自在にして取り付ける。
【００３１】
図１１は、図８に示した第２コームと第３コームの取り付け状態を示す側面図である。これらのコームは、前述のように櫛目の異なる数種の櫛歯の組合せを自由にできる構造とした点に特徴がある。櫛歯１、２及びレザーコーム５００の軸は、図１１の点線の円内に示すように、上下で噛み合うような形状（例えば同図に示すような断面Ｚ形状）となっている。
【産業上の利用可能性】
【００３２】
本発明は、形状の異なる数種の櫛歯を組み合わせ客が希望するヘアスタイルに応じられるようにし、理容師や美容師が効率よくカット作業を行うことができるようにしたものである。
【符号の説明】
【００３３】
１００、１５０    第１コーム
２００、３００    第２コーム、第３コーム
１、２  櫛歯
４０    ピン（着脱手段）
２０３、３０３、４０３、５０３、  切り欠き（着脱手段）
３、２０１、３０１、４０１、５０１  軸
４  取っ手
２０３、３０３、４０３、５０３    切り欠き
１０    ネジ（調整子）
【図１】
2012187338.tif 000003
【図２】
2012187338.tif 000004
【図３】
2012187338.tif 000005
【図４】
2012187338.tif 000006
【図５】
2012187338.tif 000007
【図６】
2012187338.tif 000008
【図７】
2012187338.tif 000009
【図８】
2012187338.tif 000010
【図９】
2012187338.tif 000011
【図１０】
2012187338.tif 000012
【図１１】
2012187338.tif 000013